(57)【要約】【課題】  姿勢を安定させ得る電源タップの提供。【解決手段】  電源挿入孔１２を備えた電源タップ本体２と、電源タップ本体２の脚部材３，４とを備え、脚部材３，４は、電源タップ本体２に設けられて、電源タップ本体２を設置面に取付けた際に設置面に接触可能な脚を備え、脚部材３，４は、支軸２０を介して電源タップ本体２の両側に離間して配置され、脚部材３，４は、支軸２０周りの回動により、電源タップ本体２に対し一方向に沿って電源タップ本体２の外側に突出する第一姿勢Ｙ１と、支軸２０周りの回動により、電源タップ本体２に対して一方向とは異なる方向に位置ずれをするよう、電源タップ本体２の外側に突出する第二姿勢Ｙ２とに切替え可能に設けられている。【選択図】  図６
2020071985.tif 000002
【特許請求の範囲】
【請求項１】
電源挿入孔を備えた電源タップ本体と、該電源タップ本体の脚部材とを備え、
該脚部材は、前記電源タップ本体に設けられて、前記電源タップ本体を設置面に取付けた際に該設置面に接触可能な脚を備え、
前記脚部材は、支軸を介して回動可能に構成されて前記電源タップ本体の両側に離間して配置され、
前記脚部材は、前記支軸周りの回動により、前記電源タップ本体に対し一方向に沿って該電源タップ本体の外側に突出する第一姿勢と、前記支軸周りの回動により、前記電源タップ本体に対して前記一方向とは異なる方向に位置ずれして該電源タップ本体の外側に突出する第二姿勢とに切替え可能に設けられたことを特徴とする電源タップ。
【請求項２】
前記脚部材は、前記電源タップ本体の底部に設けられた請求項１に記載の電源タップ。
【請求項３】
前記脚は、前記設置面に面接触する板状に形成された請求項１または請求項２に記載の電源タップ。
【請求項４】
前記電源タップ本体が直方体形状に形成され、前記電源タップ本体に、一対の前記電源挿入孔が前記電源タップ本体の軸心方向に複数配置された請求項１ないし請求項３の何れかに記載の電源タップ。
【請求項５】
前記電源タップ本体に、前記脚部材の間にあって、前記設置面に対する前記脚部材の高さと同等の高さを備えた介装部材を備えた請求項１ないし請求項４の何れかに記載の電源タップ。
【発明の詳細な説明】
【技術分野】
【０００１】
本発明は、電源タップに関する。
【背景技術】
【０００２】
特許文献１に、電源タップが回転式ソケットとして開示されている。特許文献１の電源タップは、電源挿入孔を軸方向に備えた複数の回転部材からなる電源タップ本体と、支持具とを備えている。
【０００３】
回転部材は、それぞれ回転手段を介して一列に並べられて電源タップ本体とされており、電源タップ本体の一方側および他方側に、電源タップ本体を床面等から離間して配置する支持具が配置されている。
【０００４】
一方側および他方側の支持具はそれぞれ同様の構成であり、一方側の支持具は、電源タップ本体の一方側端面に平行に配置される環状の取付部と、取付部に連結されて電源タップ本体を床面等から離間させる一対の脚部材を備える。また、他方側の支持具は、電源タップ本体の他方側端面に平行に配置される環状の取付部と、取付部に連結されて電源タップ本体を床面等から離間させる一対の脚部材を備える。
【先行技術文献】
【特許文献】
【０００５】
【特許文献１】実用新案登録第３１９７０６１号公報
【発明の概要】
【発明が解決しようとする課題】
【０００６】
特許文献１に記載の電源タップでは、支持具は、電源タップ本体を床面等から離間して配置するものである。そして、各支持具のそれぞれの取付部は、電源タップ本体の各端面に平行に配置され、脚部材は取付部に連結される。したがって各支持具は、平行で且つ一つの姿勢しかとり得ない。このような支持具では、電源タップ本体の姿勢によっては、電源タップが安定しない。
【０００７】
そこで本発明は、姿勢を安定させ得る電源タップの提供を目的とする。
【課題を解決するための手段】
【０００８】
本発明の電源タップは、電源挿入孔を備えた電源タップ本体と、該電源タップ本体の脚部材とを備え、該脚部材は、前記電源タップ本体に設けられて、前記電源タップ本体を設置面に取付けた際に該設置面に接触可能な脚を備え、前記脚部材は、支軸を介して回動可能に構成されて前記電源タップ本体の両側に離間して配置され、前記脚部材は、前記支軸周りの回動により、前記電源タップ本体に対し一方向に沿って該電源タップ本体の外側に突出する第一姿勢と、前記支軸周りの回動により、前記電源タップ本体に対して前記一方向とは異なる方向に位置ずれして該電源タップ本体の外側に突出する第二姿勢とに切替え可能に設けられたことを特徴としている。
【０００９】
上記構成の本発明の電源タップによると、電源タップ本体を設置面に取付け、その設置面の設置場所によって、各脚部材をそれぞれ支軸周りに回動して脚部材を第一姿勢に切替えると、各脚部材が電源タップ本体に対し一方向に沿って、電源タップ本体の外側に突出させて各脚を設置面に接触できるから、電源タップ本体の一方向での姿勢が安定して、電源タップの姿勢が安定する。
【００１０】
上記構成の本発明の電源タップによると、電源タップ本体を設置面に取付け、その設置面の設置場所によって、各脚部材をそれぞれ支軸周りに回動して脚部材を第二姿勢に切替えると、各脚部材が電源タップ本体の一方向とは異なる方向に位置ずれして、電源タップ本体の外側に突出させて各脚を設置面に接触できるから、電源タップ本体に対し、異なる方向での姿勢が安定して、電源タップの姿勢が安定する。
【００１１】
本発明の電源タップでは、前記脚部材は、前記電源タップ本体の底部に設けられた構成を採用することができる。
【００１２】
上記構成では、脚部材は電源タップ本体の底部に設けられているので、電源タップを取付ける設置面に対向する底部から脚部材を回動させて外側へ突出させることができるから、電源タップの姿勢を安定させることができる。
【００１３】
本発明の電源タップでは、前記脚は、前記設置面に面接触する板状に形成された構成を採用することができる。
【００１４】
上記構成では、脚部材は板状に形成されているので、簡単な構成で電源タップの姿勢を安定させることができる。
【００１５】
本発明の電源タップでは、前記電源タップ本体が直方体形状に形成され、前記電源タップ本体に、一対の前記電源挿入孔が前記電源タップ本体の軸心方向に複数配置された構成を採用することができる。
【００１６】
上記構成では、一対の電源挿入孔が電源タップ本体の軸心方向に複数配置されて、電源タップ本体が直方体形状に形成されているので、電源タップ本体がその分だけ長いから、電源タップ本体そのものが不安定になるが、脚部材を第一姿勢あるいは第二姿勢に切替えることにより、電源タップの姿勢を安定させることができる。
【００１７】
本発明の電源タップでは、前記電源タップ本体に、前記脚部材の間にあって、前記設置面に対する前記脚部材の高さと同等の高さを備えた介装部材を備えた構成を採用することができる。
【００１８】
上記構成では、脚部材の間に、設置面に対する脚部材の高さと同等の高さを備えた介装部材を備えているから、脚部材および介装部材が設置面によって支持されることで、電源タップの姿勢を安定させることができる。
【発明の効果】
【００１９】
本発明の電源タップでは、電源タップ本体に支軸を介して脚部材を設け、脚部材は電源タップ本体に対し一方向に沿って電源タップ本体の外側に突出する第一姿勢と、電源タップ本体に対して一方向とは異なる方向に位置ずれをするよう、電源タップ本体の外側に突出する第二姿勢とに切替え可能であるから、電源タップの姿勢を安定させられる。
【図面の簡単な説明】
【００２０】
【図１】本発明の第一の実施形態の電源タップを表す斜視図であり、電源タップの上面からの斜視図である。
【図２】同電源タップの下面側からの斜視図である。
【図３】同電源タップの側面図である。
【図４】同電源タップ本体と脚部材の関係を示す断面図である。
【図５】同脚部材の第一姿勢を示すもので、電源タップの上面からの斜視図である。
【図６】同脚部材の第二姿勢の一例を示すもので、電源タップの上面からの斜視図である。
【図７】同脚部材の第二姿勢の他の例を示すもので、電源タップの上面からの斜視図である。
【図８】本発明の第二の実施形態の電源タップを表す斜視図であり、電源タップの下面からの斜視図である。
【図９】本発明の第三の実施形態の電源タップの下面図である。
【図１０】本発明の他の例を示す電源タップの端面図である。
【発明を実施するための形態】
【００２１】
以下、本発明の第一の実施形態に係る電源タップを、図１ないし図７を参照して説明する。電源タップ１は、例えば一般家屋のコンセントから離れた場所にあって、電気器具に電源を供給するための電気器具であり、電源タップ１はテーブルタップとも称する。
【００２２】
図１，図２に示すように、電源タップ１は、電源タップ本体２と、一対の脚部材３，４と、介装部材５とを備える。
【００２３】
電源タップ本体２は、上面６と、上面６に対向する下面（底面に相当する）７と、上面６および下面７を一体的に形成する両側の側面８，９、および一方側、他方側の端面１０，１１とを備えて、直方体形状に形成されている。
【００２４】
上面６には、パーソナルコンピュータ等のコンセントを挿入する、一対で一組となる電源挿入孔（コンセント挿入口）１２が、一列の方向（直方体形状の長手方向である軸心方向）に複数備えられている。電源挿入孔１２（１２ａ，１２ｂ，１２ｃ）は、一方側と他方側とで離間距離が異なる。本実施形態では、一方側の電源挿入孔１２（１２ａ）に対して他方側の電源挿入孔１２（１２ｂ）が、離間距離を長くするよう配置されている。他方側の電源挿入孔１２（１２ｂ）は、アダプタ付きのコンセント５０を挿入するために、一方側の電源挿入孔１２（１２ａ）よりも離間距離が長い。また、一方の端面１０にも、一対で一組となる電源挿入孔１２（１２ｃ）が形成されている。
【００２５】
電源タップ本体２の直方体形状として、電源タップ本体２を床面（例えば設置面）１３に設置した場合、上面６の長手方向（電源挿入孔１２が並んだ方向）を電源タップ本体２の長さとして特定し、床面１３に設置した場合に、長さに水平面内で直行する方向が幅として特定され、長さおよび幅に直行する方向が高さとして特定される。
【００２６】
図３に示すように、電源タップ本体２の内部には、電源挿入孔１２ごとに電極１４が配置されている。各電極１４は電気的に接続され、電源タップ本体２の他方の端面１１からコンセントに向けて導かれるコード１５が導出されており、コード１５は各電極１４に電気的に接続されている。
【００２７】
図１ないし図３に示すように、脚部材３，４は、電源タップ本体２の下面７のうち端面１０，１１（両側端部）側に配置されている。本実施形態では、脚部材３，４は同様の形状であるから、長さ方向の一方の脚部材３についてその構成を説明して、長さ方向の他方の脚部材４に兼用する。
【００２８】
図２、図４に示すように、脚部材３は、脚上面１６、脚上面１６に平行な脚下面１７、両側の脚側面１８a，１８ｂ、両側の脚端面１９a，１９ｂを備えて、電源タップ本体２の高さよりも低い板状（略直方体形状）に形成されている。したがって、脚側面１８a，１８ｂおよび脚端面１９a，１９ｂは、電源タップ本体２の高さよりも小さく設定されている。
【００２９】
図４に示すように、脚部材３は、その脚下面１７、脚上面１６、および電源タップ本体２の下面７に、高さ方向に沿う支軸２０を貫通させて、電源タップ本体２に支持されている。支軸２０は、軸受け（符号省略）を介して下面７に支持され、支軸２０の頭部２１ａは脚部材３に没せられている。
【００３０】
支軸２０は、脚部材３の幅方向中心で、電源タップ本体２の下面７の一方端部側に形成されている。脚部材３は、支軸２０周りに回動することで、電源タップ本体２に収納された収納姿勢Ｘ、および電源タップ本体２から突出した突出姿勢Ｙに切替え自在である。
【００３１】
脚部材３の収納姿勢Ｘにおいて、脚部材３における脚上面１６および脚下面１７は、電源タップ本体２の長さに沿っている。脚部材３の収納姿勢Ｘにおいては、脚部材３の両側の脚側面１８a，１８ｂは、電源タップ本体２の側面８，９と面一であり、脚部材３の一方の脚端面１９ａは、電源タップ本体２の一方の端面１０と面一である。換言すれば、収納姿勢Ｘとは、脚部材３の両側の脚側面１８a，１８ｂが電源タップ本体２の側面８，９と面一であり、脚部材３の一方の脚端面１９ａが、電源タップ本体２の一方の端面１０と面一の状態である。
【００３２】
脚部材３の他方の脚端面１９ｂは、支軸２０を中心とした円弧状に形成されている。なお、脚部材３の幅中心には、脚部材３の突出姿勢Ｙにおいて使用可能なねじ孔２１が形成されている。また、ねじ孔２１に隣合って該ねじ孔２１よりも大径の孔部２１Ａが形成されている。この孔部２１Ａの周面には、タップが形成されていない。
【００３３】
このような構成の脚部材３が、電源タップ本体２の下面７の両側に配置した支軸２０を介して、一対（脚部材３，４）で設けられる。一方の支軸２０は、脚部材３の幅方向中心で、脚部材３の一方端部側に形成されているから、他方の支軸２０も、脚部材４の幅方向中心で、脚部材４の他方端部側に形成されている。また、ねじ孔２１は、支軸２０から等距離に配置されている。孔部２１Ａは、ねじ孔２１と支軸２０の間に配置されている。
【００３４】
支軸２０が、脚部材３，４の一方端部側、他方端部側に設けられていることにより、前述したように、脚部材３，４は、電源タップ本体２に収納された収納姿勢Ｘ、および電源タップ本体２から突出した突出姿勢Ｙに切替え自在とされる。
【００３５】
脚部材３，４は、突出姿勢Ｙにおいて、支軸２０周りの回動により、電源タップ本体２の長さ（一方向）に沿って電源タップ本体２の外側に突出する第一姿勢Ｙ１に切替えることができる（図５参照）。電源タップ本体２の長さに沿って電源タップ本体２の外側に突出するとは、支軸２０周りの脚部材３，４の回動により、両脚部材３，４の長さが、電源タップ本体２の長さに沿う状態のことである。
【００３６】
また、脚部材３，４は、突出姿勢Ｙにおいて、支軸２０周りの回動により、電源タップ本体２に対して、電源タップ本体２の長さとは異なる方向に位置ずれして、電源タップ本体２の外側に突出する第二姿勢Ｙ２に切替えることができる（図６等参照）。電源タップ本体２の長さとは異なる方向に位置ずれをして電源タップ本体２の外側に突出するとは、脚部材３，４の長さが、支軸２０周りにおいて第一姿勢Ｙ１とは異なる方向に位置する状態のことである。なお、図６においては、脚部材３，４は、電源タップ本体２の幅方向に、長さ方向を向けて突出している。
【００３７】
すなわち第二姿勢Ｙ２は、脚部材３，４における第一姿勢Ｙ１以外の支軸２０周りの姿勢であり、したがって、電源タップ本体２を床面１３に設置した場合では、第一姿勢Ｙ１以外の支軸２０周りの水平姿勢を取り得る。そして、第一姿勢Ｙ１および第二姿勢Ｙ２において、脚部材３，４の脚下面１７全体が、床面１３に当接する脚２２である。
【００３８】
図２に示すように、介装部材５は、脚部材３，４の間にあって、両脚部材３，４に隙間２５を介して配置される。具体的に、介装部材５は、電源タップ本体２の側面８，９と面一な部材側面２６ａ，２６ｂと、電源タップ本体２の下面７と平行な部材下面２７と、一方および他方の部材端面２８ａ，２８ｂとを備えて、直方体形状に形成されている。部材側面２６ａ，２６ｂは、電源タップ本体２の高さに比べて小さく形成されて、脚部材３，４と同一の高さを有する。介装部材５の内部は空間に形成されている。
【００３９】
部材端面２８ａ，２８ｂは、脚部材３の脚端面１９a，１９ｂの凸部に沿うよう、長さ方向中心部に向かって凹面状に形成されている。また、介装部材５の部材下面２７には、例えば、壁面に突設されたフックに引掛け可能なフック孔２９が、長さ方向に離間して形成されている。
【００４０】
ところで、各支軸２０は、脚部材３，４の幅方向中心で、脚部材３，４の端部側に形成されているから、第一姿勢Ｙ１および第二姿勢Ｙ２においては、脚部材３，４は、電源タップ本体２の下面７側に位置する部分と、電源タップ本体２の外側に位置する部分とが生じる。特に、電源タップ本体２の外側に位置する部分を本体外領域２３，２４として、以下に特定する。
【００４１】
上記構成を有する電源タップ１において、電源タップ本体２を、例えば床面１３に設置する場合を想定する。電源タップ本体２の設置場所によっては、電源タップ本体２を使用するユーザの足が不測に電源タップ本体２を転倒させる方向に働いたり、商品に接続されたコードが存在して、これが電源タップ本体２を転倒させる方向に働いたりする場合等がある。このように電源タップ本体２を転倒させる力を、外力として特定する。
【００４２】
脚部材３，４は、突出姿勢Ｙのうち、第一姿勢Ｙ１および第二姿勢Ｙ２を取り得る。また、電源タップ本体２は、その上面６に電源挿入孔１２が一列の方向に複数備えられている直方体形状であって、前記コンセントが電源挿入孔１２の複数個所に挿入され得る。
【００４３】
図５には、脚部材３，４の第一姿勢Ｙ１を示す。上述のように、脚部材３，４は、支軸２０周りの回動により、電源タップ本体２の長さに沿って電源タップ本体２の外側に突出する。具体的には、第一姿勢Ｙ１では、脚部材３，４は、支軸２０周りの回動により、電源タップ本体２の長さに沿って本体外領域２３，２４が位置する。第一姿勢Ｙ１では、脚部材３の本体外領域２３が電源タップ本体２の端面１０の外側に位置し、脚部材４の本体外領域２４が、電源タップ本体２の端面１１の外側に位置する。また、第一姿勢Ｙ１では、脚端面１９ｂどうしが最も離れた状態にある。
【００４４】
また、脚部材３，４の第一姿勢Ｙ１では、脚部材３，４の脚端面１９ｂは、支軸２０を中心とした円弧状に形成されており、介装部材５の部材端面２８ａ，２８ｂは、脚部材３，４の脚端面１９ｂの凸部に沿うよう、長さ方向中心部に向かって凹面状に形成されている。このため、脚部材３，４が支軸２０周りに円滑に回動する。
【００４５】
第一姿勢Ｙ１では、脚部材３，４の本体外領域２３，２４が、電源タップ本体２の端面１０，１１の外側に位置し、脚部材３，４の脚下面１７の略全体が床面１３に当接する脚２２となる。
【００４６】
第一姿勢Ｙ１では、電源タップ本体２の上面６の長さが長く、コンセントが一対の電源挿入孔１２、あるいは複数個所の電源挿入孔１２に挿入されて、電源タップ本体２の長さ方向に対して外力が働いたとしても、電源タップ本体２（電源タップ１）の転倒を防止して、その姿勢を安定させられる。
【００４７】
脚部材３，４は、電源タップ本体２の下面７に設けられている。このため、電源タップ１の重心がその分だけ低くなり、床面１３に対し電源タップ本体２が安定しやすい。また、脚部材３，４が下面７に設けられていると、脚部材３，４が底面（下面７）から外側へ突出して、設置面に接触する。そのため、電源タップ本体２が安定し易い。また、脚部材３，４と介装部材５の高さは同じであり、脚部材３，４の間に挟まれた介装部材５の部材下面２７の略全体も床面１３に当接して、介装部材５の部材下面２７は電源タップ本体２の脚として機能するから、電源タップ本体２の姿勢が安定する。
【００４８】
電源タップ本体２の一方の端面１０には、電源挿入孔１２（１２ｃ）が形成されている。この電源挿入孔１２（１２ｃ）には、一対の電源挿入孔のみが形成された別の電源タップ（図示せず）が挿入されることも多い。別の電源タップを使用する際には、そのコードが外力として電源タップ本体２の長さ方向に働くこともあり得る。したがって、脚部材３，４の第一姿勢Ｙ１は、このような外力に対しても、電源タップ本体２の姿勢を安定させられる。
【００４９】
図６に、脚部材３，４における第二姿勢Ｙ２の一例を示す。前述のように、第二姿勢Ｙ２は、脚部材３，４の突出姿勢Ｙにおいて、支軸２０周りの回動により、電源タップ本体２の長さとは異なる方向に位置ずれして、電源タップ本体２の外側に突出する姿勢である。
【００５０】
具体的に、図６に示す第二姿勢Ｙ２は、脚部材３，４が支軸２０周りに回動して、脚部材３，４の本体外領域２３，２４が、電源タップ本体２の他方の側面９の外側に位置した姿勢である。また、第二姿勢Ｙ２では、脚部材３，４の脚端面１９ｂが側面９の外側に位置する。第二姿勢Ｙ２では、脚部材３，４の脚下面１７の略全体が床面１３に当接する脚２２としている。
【００５１】
他方側の電源挿入孔１２（１２ｂ）には、アダプタ付きのコンセント５０が挿入することが可能であり、アダプタ付きのコンセント５０は、一方側に挿入される電源挿入孔１２（１２ａ）のコンセントよりも大重量である。しかしながら、特に図６に示す第二姿勢Ｙ２によれば、脚部材３，４の本体外領域２３，２４が電源タップ本体２の他方の側面９の外側に突出するように位置しているので、ユーザ自身が、アダプタ付きのコンセント５０の向きを考慮したうえで、アダプタ付きのコンセント５０が外力として働いた場合に、脚部材３，４が支えとなって、電源タップ本体２の姿勢を安定させられる。また、上記と同様、介装部材５の部材下面２７も、電源タップ本体２の脚として機能する。
【００５２】
この第二姿勢Ｙ２によれば、電源タップ本体２の他方の側面９の外側に突出した状態であるから、電源タップ本体２の一方の側面８に外力が働いた場合に、電源タップ本体２の転倒を防止し、電源タップ本体２を安定させられる。
【００５３】
図７に、脚部材３，４の第二姿勢Ｙ２の他の例を示す。図７に示す第二姿勢Ｙ２は、脚部材３，４が支軸２０周りに回動して、脚部材３，４の本体外領域２３，２４が電源タップ本体２の一方の側面８、他方の側面９の外側に突出するように位置し、脚部材３，４の脚下面１７の略全体が床面１３に当接する脚２２とした状態である。また、この第二姿勢Ｙ２では、脚端面１９どうしが一方の側面８、他方の側面９の外側に位置する。また、前述のように、介装部材５の部材下面２７も、電源タップ本体２の脚として機能する。
【００５４】
図７の第二姿勢Ｙ２によれば、電源タップ本体２の一方の側面８の外側に、一方の脚部材３の本体外領域２３が位置し、他方の側面９の外側に、他方の脚部材４の本体外領域２４が位置するから、一方の側面８および他方の側面９の何れかに外力が働いた場合に、電源タップ本体２の転倒を防止して、電源タップ本体２の姿勢を安定させられる。
【００５５】
特に図７に示す第二姿勢Ｙ２によれば、電源タップ本体２の一方の側面８の外側に、一方の脚部材３の本体外領域２３が位置し、他方の側面９の外側に、他方の脚部材４の本体外領域２４が位置するから、他方側の電源挿入孔１２（１２ｂ）に対するアダプタ付きのコンセント５０の向きを考慮することなく、電源タップ本体２の姿勢を安定させられる。
【００５６】
前述のように、第二姿勢Ｙ２は、脚部材３，４における第一姿勢Ｙ１以外の支軸２０周りの姿勢であり、電源タップ本体２を床面１３に設置した場合では、第一姿勢Ｙ１以外の支軸２０周りの水平姿勢を取り得る。すなわち、図６および図７に示した脚部材３，４の状態に限定されず、電源タップ本体２に外力が働く方向によって、第二姿勢Ｙ２は、第一姿勢Ｙ１以外の支軸２０周りの水平姿勢を取り得ることは勿論である。
【００５７】
また、一方の脚部材３の長さを、電源タップ本体２の長さ方向に沿わせ、他方の脚部材４を、外力に応じて電源タップ本体２の長さ方向に沿わせないこともあり得る。双方の脚部材３，４の長さを電源タップ本体２の長さ方向に沿わせことが第一姿勢Ｙ１であるから、このような場合も、第二姿勢Ｙ２である。逆に、他方の脚部材４の長さを、電源タップ本体２の長さ方向に沿わせ、一方の脚部材３を、外力に応じて電源タップ本体２の長さ方向に沿わせないこともあり得る。
【００５８】
電源タップ本体２に、特に外力が働かない環境では、収納姿勢Ｘとする。すなわち、脚部材３，４の両側の脚側面１８a，１８ｂを電源タップ本体２の側面８，９と面一とし、脚部材３，４の脚端面１９aを電源タップ本体２の端面１０，１１と面一とする。この場合も、収納姿勢Ｘとなった脚部材３，４の脚２２と、介装部材５の部材下面２７が、電源タップ本体２の脚として機能し、電源タップ本体２の姿勢が安定する。
【００５９】
ところで、脚部材３，４には、脚部材３，４の突出姿勢Ｙにおいて使用可能なねじ孔２１が形成されている。電源タップ本体２を床面１３に設置する場合に、ねじ孔２１にビスを挿通して床に螺合して、床面１３に設置することもできる。ねじ孔２１にビスを挿通して床に螺合して、床面１３に設置する場合には、支軸２０を中心にして、電源タップ本体２を回動させることが可能である。支軸２０を中心にして、電源タップ本体２を回動させるようになると、脚部材３，４の突出姿勢Ｙ（第一姿勢Ｙ１および第二姿勢Ｙ２）を変更することができるから、外力が電源タップ本体２に働いた場合の姿勢を変えることができる。
【００６０】
何れの場合も、脚部材３は板状に形成されて、支軸２０を介して電源タップ本体２の下面７に取付けられた簡素な構成であり、このような簡素な構成であっても、電源タップ本体２を安定させられる。
【００６１】
電源タップ本体２は、上記のような床面１３に設置することに限らず、例えば、家屋の壁面に使用することも考えられる。家屋の壁面に設置する場合では、あらかじめ壁面に準備したフックに、介装部材５の部材下面２７のフック孔２９（図２参照）を挿入する。そして脚部材３，４の突出姿勢Ｙとしては、図６に示すように、脚部材３，４を支軸２０周りに回動して、脚部材３，４の本体外領域２３，２４を電源タップ本体２の一方の側面８の外側に突出するように位置させ、脚部材３，４の脚下面１７の略全体を壁面に当接する脚２２とすることが好ましい。このような第二姿勢Ｙ２とすることにより、脚下面１７が壁面に当接する脚２２となって、電源タップ本体２が安定する。また、例えば、家屋の壁面に使用する場合、壁面に設けられたフックに対し、孔部２１Ａを係止する態様も考えられる。この場合の脚部材３，４は、第一姿勢Ｙ１または第二姿勢Ｙ２において、孔部２１Ａを用いることができる。
【００６２】
本発明は、上記実施形態に限定されるものではない。図８に示す第二の実施形態では、電源タップ１の各側面８，９のうち端面１０，１１側に、側面８，９に沿う支軸２０（高さ方向に沿う支軸）を中心に回動する脚部材３，４が配置されている。支軸２０は、各側面８，９の下方に取付けられ、側方に向けて突出する上下の取付部材３０，３１を介して連結されている。
【００６３】
脚部材３，４は直方体形状（板状）に形成されている。脚部材３，４のうち、各側面８，９に沿う方向（各側面８，９に面する方向）が、電源タップ本体２に収納された収納姿勢Ｘである。また、支軸２０周りに回動して側面８，９から離れた方向が突出姿勢Ｙである。
【００６４】
突出姿勢Ｙにおいて、脚部材３，４が支軸２０周りに回動して電源タップ本体２の長さに沿う方向が、第一姿勢Ｙ１である。突出姿勢Ｙにおいて、支軸２０周りに回動した第一姿勢Ｙ１以外の姿勢が、脚部材３，４の第二姿勢Ｙ２である。
【００６５】
例えば、脚部材３の本体外領域２３が支軸２０周りに回動して、電源タップ本体２の一方の側面８の外側に直交するよう位置し、また、脚部材４の本体外領域２４が支軸２０周りに回動して、電源タップ本体２の他方の側面９の外側に直交するよう位置した姿勢が、第二姿勢Ｙ２である。
【００６６】
図８に示した脚部材３，４の第二姿勢Ｙ２では、床面（図示省略）に電源タップ本体２を設置した場合には、電源タップ本体２の一方の側面８の外側に、一方の脚部材３の本体外領域２３が位置し、他方の側面９の外側に、他方の脚部材４の本体外領域２４が位置する。このため、特に、他方側の電源挿入孔１２（１２a,１２ｂ）に対し、コンセントあるいはアダプタ付きのコンセント５０の向きを考慮することなく、電源タップ本体２の姿勢を安定させられる。
【００６７】
そして、第一の実施形態においては、脚部材３，４の脚下面１７全体が、床面１３に当接する脚２２であった。しかしながら、第二の実施形態では、支軸２０は、各側面８，９に取付部材３０，３１を介して連結されている。このため、第二の実施形態における脚部材３，４の第二姿勢Ｙ２では、下側の取付部材３０の高さに相当する分だけ脚２２の面積が少ない。
【００６８】
なお、第二の実施形態では、介装部材５は省いている。しかしながら、第二姿勢Ｙ２では、支軸２０は側面８，９の下方に取付けられており、電源タップ本体２の下面７もまた脚となるから、電源タップ本体２が安定する。
【００６９】
第一の実施形態、および第二の実施形態では、電源タップ本体２は直方体形状である場合を例に挙げた。しかしながら電源タップ本体２は、平面視円形のものや、楕円状のものであっても、本発明を適用できる。
【００７０】
図９に第三の実施形態として、電源タップ本体２の形状が、平面視円形のものを示す。図９は底面図であり、電源タップ本体２が円形の場合である。なお、電源タップ本体２の上面には、電源挿入孔が周方向に並んで配置される。
【００７１】
電源タップ本体２は、その下面７の対向方向の外方に、電源タップ本体２の下面７を挿通する支軸２０を介して、一対の脚部材３，４が配置される。この脚部材３，４は、直方体形状（板状）である。また、脚部材３，４は、支軸２０周りに回動することで、電源タップ本体２に収納された収納姿勢Ｘ、および電源タップ本体２から突出した突出姿勢Ｙ（第一姿勢Ｙ１、第二姿勢Ｙ２）に切替え自在である。また、脚部材３，４の間には介装部材５が配置されている。介装部材５は脚部材３，４を除いて、円形に形成した外郭形状であり、脚部材３，４と同一の高さに形成されている。
【００７２】
第三の実施形態によれば、脚部材３，４と介装部材５の高さは同じであり、脚部材３，４の本体外領域２３，２４の略全体が脚２２であり、介装部材５の部材下面２７の略全体が脚として機能するから、電源タップ本体２が安定する。
【００７３】
上記各実施形態では、脚部材３，４の長さは同一に設定した。しかしながら、支軸２０を中心にした脚部材３，４の突出姿勢Ｙが可能であれば、支軸２０周りの脚部材３，４の長さは異なっていてもよい。すなわち、電源タップ本体２の外側に位置する本体外領域２３，２４の長さを異ならせることもできる。
【００７４】
上記各実施形態では、脚部材３，４は、電源タップ本体２の端部に一対で設けられた。しかしながら、各支軸２０を電源タップ本体２の長さに対して位置ずれさせることにより、脚部材３，４を位置ずれさせることもできる。第二の実施形態では、脚部材３，４を幅方向に位置ずれさせているが、第一の実施形態においても、脚部材３，４を幅方向に位置ずれさせることができる。
【００７５】
また、上記各実施形態では、脚部材３，４を電源タップ本体２に一対で形成した。しかしながら、脚部材３，４は、電源タップ本体２の両側に位置したうえで、底部に３つ以上設けることも可能である。
【００７６】
さらに、上記実施形態（特に第二の実施形態）では、脚部材３，４は、電源タップ本体２の底部に限定して配置したが、電源タップ本体２の側面８，９の上部に設けることもできる。
【００７７】
上記各実施形態では、脚部材３，４は直方体形状（板状）に形成した。しかしながら、図１０に示すように、脚部材３，４は断面Ｌ字形板状に形成してもよい。この場合では、脚２２は、脚部材３，４の略全面ではなく脚部材３，４の先端になる。
【符号の説明】
【００７８】
１…電源タップ、２…電源タップ本体、３，４…脚部材、５…介装部材、６…上面、７…下面、８，９…側面、１０，１１…端面、１２…電源挿入孔、１３…床面、１６…脚上面、１７…脚下面、１８a，１８ｂ…脚側面、１９a，１９ｂ…脚端面、２０…支軸、２２…脚、２３，２４…本体外領域、Ｘ…収納姿勢、Ｙ…突出姿勢、Ｙ１…第一姿勢、Ｙ２…第二姿勢
【図１】
2020071985.tif 000003
【図２】
2020071985.tif 000004
【図３】
2020071985.tif 000005
【図４】
2020071985.tif 000006
【図５】
2020071985.tif 000007
【図６】
2020071985.tif 000008
【図７】
2020071985.tif 000009
【図８】
2020071985.tif 000010
【図９】
2020071985.tif 000011
【図１０】
2020071985.tif 000012